(57)【要約】【課題】複数の電話番号が一の移動機に登録されている場合であっても、サービスプロバイダに接続してパケット通信を行うことができる通信制御方法、制御ノード及び通信制御装置を提供すること。【解決手段】複数のＭＳＩＳＤＮを有する移動機１０の発呼先に通知する通知用番号を保持するＳＧＳＮ２０から送信されこの通知用番号及び移動機１０の「ＩＭＳＩ：自網」を含む移動機１０のパケット接続要求をＩＳＰ８０に送信するＧＧＳＮ３０は、パケット接続要求をＳＧＳＮ２０から受信する受信部３１１と、このパケット接続要求に含まれる通知用番号が自網で用いられていない場合、この「ＩＭＳＩ：自網」を用いてローミングＧＷ４０にパケット接続が可能な電話番号を問い合わせる問合せ部３１２と、この「ＭＳＩＳＤＮ：自網」を用いてＩＳＰ８０に移動機１０のパケット接続要求を送信する送信部３１３とを備える。【選択図】図５
2008125014.tif 000002
【特許請求の範囲】
【請求項１】
複数の通信網毎に設定された複数の電話番号を有する移動機とのパケット接続を前記複数の通信網のうち所定通信網において設定された該移動機の電話番号に応じて許可するサービスプロバイダと、前記移動機の発呼先に通知する通知用番号を保持しており前記移動機の識別情報を含む該移動機からのパケットの発信要求に応じて該移動機の識別情報及び前記通知用番号を含む前記サービスプロバイダに対するパケット接続要求を送信する該移動機の在圏交換機と、該在圏交換機から送信される前記パケット接続要求を前記サービスプロバイダに送信する制御ノードと、前記電話番号と前記識別情報とを互いに関連付けて保持するローミング用の通信制御装置と、を用いた通信制御方法であって、
前記パケット接続要求を前記制御ノードが前記在圏交換機から受信する受信ステップと、
前記パケット接続要求に含まれる前記通知用番号が前記パケット接続の許可された通信網で用いられていない場合、前記パケット接続要求に含まれる前記移動機の識別情報を用いて前記制御ノードが前記通信制御装置に前記電話番号を問い合わせる問合せステップと、
前記問い合わせに応じて、前記移動機の識別情報に対応する前記電話番号を前記通信制御装置が前記制御ノードに通知する通知ステップと、
前記通知ステップにおいて通知される前記電話番号を用いて、前記制御ノードが前記サービスプロバイダに前記パケット接続要求を送信する送信ステップと
を有する、ことを特徴とする通信制御方法。
【請求項２】
前記受信ステップの後、前記パケット接続要求に含まれる前記通知用番号が、前記パケット接続の許可された通信網で用いられている場合には、前記問合せステップ及び前記通知ステップを経ずに、前記送信ステップにおいて、前記制御ノードが前記サービスプロバイダに前記通知用番号を用いて前記パケット接続要求を送信する、ことを特徴とする請求項１に記載の通信制御方法。
【請求項３】
複数の通信網毎に設定された複数の電話番号を有する移動機の発呼先に通知する通知用番号を保持する該移動機の在圏交換機から送信され該通知用番号及び該移動機の識別情報を含む該移動機のパケット接続要求を、前記複数の通信網のうち所定通信網において設定された該移動機の電話番号に応じて該移動機とのパケット接続を許可するサービスプロバイダに送信する制御ノードであって、
前記パケット接続要求を前記在圏交換機から受信する受信手段と、
前記パケット接続要求に含まれる前記通知用番号が前記パケット接続の許可された通信網で用いられていない場合、前記パケット接続要求に含まれる前記移動機の識別情報を用いて、前記電話番号と前記識別情報とを互いに関連付けて保持する通信制御装置に前記電話番号を問い合わせる問合せ手段と、
前記問い合わせに応じて前記通信制御装置から通知され前記移動機の識別情報に対応する前記電話番号を用いて、前記サービスプロバイダに前記パケット接続要求を送信する送信手段と
を備える、ことを特徴とする制御ノード。
【請求項４】
請求項３に記載の制御ノードに接続されており、複数の通信網毎に設定された一の移動機の複数の電話番号を保持するローミング用の通信制御装置であって、
前記複数の電話番号のうちサービスプロバイダによりパケット接続が許可される一の電話番号の問い合わせを前記制御ノードから受けると、該電話番号を該制御ノードに通知する、ことを特徴とする通信制御装置。
【発明の詳細な説明】
【技術分野】
【０００１】
本発明は、通信制御方法、制御ノード及び通信制御装置に関する。
【背景技術】
【０００２】
移動体通信システムの標準規格である３ＧＰＰ（3rd  Generation  Partnership  Project）の仕様が非特許文献１に記載されている。この非特許文献１によれば、一の移動機のＳＩＭ（Subscriber  Identification  Module）に記録されている一つのＩＭＳＩ（International  Mobile  User  Identity）に対し複数の電話番号が登録可能となっている。
【非特許文献１】3GPP  TS31.102  4.2.26,  Version  6.15.0,  [online],  [retrieved  on  16  October  2006],  Retrieved  from  the  Internet：<URL:http://www.3gpp.org/ftp/Specs/2006-09/Rel-6/31_series/31102-6f0.zip>.
【発明の開示】
【発明が解決しようとする課題】
【０００３】
上記のように、３ＧＰＰ規格には、一のＩＭＳＩに対し複数の電話番号が登録可能である。しかし、このような複数の電話番号のうち一の電話番号に対してのみパケット接続を許可するようなサービスプロバイダに対し、このようなパケット接続の許可された電話番号以外の他の電話番号を用いてパケット接続要求が行われた場合には、パケット接続が拒否されることとなる。そこで本発明の目的は、複数の電話番号が一の移動機に登録されている場合であっても、サービスプロバイダに接続してパケット通信を行うことができる通信制御方法、制御ノード及び通信制御装置を提供することを目的とする。
【課題を解決するための手段】
【０００４】
本発明は、複数の通信網毎に設定された複数の電話番号を有する移動機とのパケット接続を複数の通信網のうち所定通信網において設定された該移動機の電話番号に応じて許可するサービスプロバイダと、移動機の発呼先に通知する通知用番号を保持しており移動機の識別情報を含む該移動機からのパケットの発信要求に応じて該移動機の識別情報及び通知用番号を含むサービスプロバイダに対するパケット接続要求を送信する該移動機の在圏交換機と、該在圏交換機から送信されるパケット接続要求をサービスプロバイダに送信する制御ノードと、電話番号と識別情報とを互いに関連付けて保持するローミング用の通信制御装置と、を用いた通信制御方法であって、パケット接続要求を制御ノードが在圏交換機から受信する受信ステップと、パケット接続要求に含まれる通知用番号がパケット接続の許可された通信網で用いられていない場合、パケット接続要求に含まれる移動機の識別情報を用いて制御ノードが通信制御装置に電話番号を問い合わせる問合せステップと、問い合わせに応じて、移動機の識別情報に対応する電話番号を通信制御装置が制御ノードに通知する通知ステップと、通知ステップにおいて通知される電話番号を用いて、制御ノードがサービスプロバイダにパケット接続要求を送信する送信ステップとを有する、ことを特徴とする。そして、受信ステップの後、パケット接続要求に含まれる通知用番号が、パケット接続の許可された通信網で用いられている場合には、問合せステップ及び通知ステップを経ずに、送信ステップにおいて、制御ノードがサービスプロバイダに通知用番号を用いてパケット接続要求を送信する。
【０００５】
また、本発明は、複数の通信網毎に設定された複数の電話番号を有する移動機の発呼先に通知する通知用番号を保持する該移動機の在圏交換機から送信され該通知用番号及び該移動機の識別情報を含む該移動機のパケット接続要求を、複数の通信網のうち所定通信網において設定された該移動機の電話番号に応じて該移動機とのパケット接続を許可するサービスプロバイダに送信する制御ノードであって、パケット接続要求を在圏交換機から受信する受信手段と、パケット接続要求に含まれる通知用番号がパケット接続の許可された通信網で用いられていない場合、パケット接続要求に含まれる移動機の識別情報を用いて、電話番号と識別情報とを互いに関連付けて保持する通信制御装置に電話番号を問い合わせる問合せ手段と、問い合わせに応じて通信制御装置から通知され移動機の識別情報に対応する電話番号を用いて、サービスプロバイダにパケット接続要求を送信する送信手段とを備える、ことを特徴とする。
【０００６】
このように、制御ノードは、移動機とのパケット接続がサービスプロバイダにより許可された電話番号と移動機の通知番号とが異なる場合には、この電話番号を保持するローミング用の通信制御装置からこの電話番号を取得する。従って、一の移動機に登録されている複数の電話番号のうち一の電話番号に対してのみパケット接続を許可するようなサービスプロバイダに対してもパケット通信を行うことができる。
【０００７】
また、本発明は、上記の制御ノードに接続されており、複数の通信網毎に設定された一の移動機の複数の電話番号を保持するローミング用の通信制御装置であって、複数の電話番号のうちサービスプロバイダによりパケット接続が許可される一の電話番号の問い合わせを制御ノードから受けると、該電話番号をこの制御ノードに通知する、ことを特徴とする。従って、複数の通信網毎に複数の電話番号が設定された移動機は、この複数の電話番号のうち一の電話番号に対しパケット接続を許可するサービスプロバイダとの間においてパケット通信が可能となる。
【発明の効果】
【０００８】
本発明によれば、複数の電話番号が一の移動機に登録されている場合であっても、サービスプロバイダに接続してパケット通信を行うことができる。
【発明を実施するための最良の形態】
【０００９】
以下、図面を参照して、本発明に係る好適な実施形態について詳細に説明する。なお、図面の説明において、可能な場合には、同一要素には同一符号を付し、重複する説明を省略する。図１を参照して、実施形態に係る通信制御システム１の構成を説明する。通信制御システム１は、移動機１０、ＳＧＳＮ２０（Serving  GPRS  Support  Node）、ＧＧＳＮ３０（Gate  GPRS  Support  Node）、ローミングＧＷ４０（GateWay）、ＨＬＲ＿自網５０（Home  Location  Register）、ＨＬＲ＿他網６０、ＤＮＳ７０（Domain  Name  System）及びＩＳＰ８０（Internet  Service  Provider）を備える。ＳＧＳＮ２０は、移動機１０と無線通信を行い、ＧＧＳＮ３０と、ローミングＧＷ４０と、ＤＮＳ７０とに有線接続されている。ＧＧＳＮ３０は、ローミングＧＷ４０と、ＩＳＰ８０とに有線接続されている。ローミングＧＷ４０は、ＨＬＲ＿自網５０とＨＬＲ＿他網６０とに有線接続されている。
【００１０】
移動機１０は、携帯電話等の通信端末であり、移動機１０のＳＩＭに記録されている移動機１０の識別情報を表すＩＭＳＩ（後述の「ＩＭＳＩ：自網」）には複数の電話番号が登録可能となっている。以下、自網とは、移動機１０の契約する通信網を意味する。また、他網とは、自網以外の他の通信網を意味する。以下、所定の一の他網を想定する。そして、移動機１０の在圏する通信網は、自網又は他網の何れかであるが、実施形態においては、一例として、自網を移動機１０の在圏する通信網として説明する。ここで、「Ａ：Ｂ」とする記載は、「Ｂに設定されているＡ」を意味する。例えば、「ＩＭＳＩ：自網」の記載は、「自網に設定されているＩＭＳＩ（Mobile  Station  ISDN  number  definition）」を意味しており、「ＭＳＩＳＤＮ：自網」の記載は、「自網に設定されているＭＳＩＳＤＮ」を意味している。また、「ＩＭＳＩ：他網」の記載は、「他網に設定されているＩＭＳＩ」を意味しており、「ＭＳＩＳＤＮ：他網」の記載は、「他網に設定されているＭＳＩＳＤＮ」を意味している。なお、以下において、電話番号をＭＳＩＳＤＮと称する場合がある。
【００１１】
ＳＧＳＮ２０は、移動機１０の在圏する通信網に設けられたパケット通信用の在圏交換機である。ＳＧＳＮ２０は、「ＩＭＳＩ：自網」と、移動機１０の発呼先に通知する移動機１０の通知用番号（「ＭＳＩＳＤＮ：通知用番号」）とを保持する。ＳＧＳＮ２０は、移動機１０から「ＩＭＳＩ：自網」を含むパケットの発信要求を受信すると、この「ＩＭＳＩ：自網」に基づいてアドレス解決処理を行う。このアドレス解決処理は、パケット接続要求をＩＳＰ８０に送信するＧＧＳＮ３０のグローバルＩＰアドレスであるＧＧＳＮアドレスを取得するための処理である。ＧＧＳＮアドレスは、自網に設けられたＤＮＳ７０が有しているので、ＳＧＳＮ２０は、ＤＮＳ７０に対し、移動機１０からのパケット発信要求に含まれる「ＩＭＳＩ：自網」に基づいて、自網に設けられたＧＧＳＮ３０のＧＧＳＮアドレスの問い合わせ（アドレス解決の要求）を行う。そして、ＳＧＳＮ２０は、移動機１０からのパケット発信要求に応じてＩＳＰ８０に対するパケット接続要求をＧＧＳＮ３０に送信する。このパケット接続要求は、「ＩＭＳＩ：自網」及び「ＭＳＩＳＤＮ：通知用番号」を含む。なお、移動機１０の在圏する通信網が他網の場合、ＳＧＳＮ２０から送信されたアドレス解決の要求は、この他網（すなわち、移動機１０の在圏する通信網）に設けられたＤＮＳを介して自網に設けられたＤＮＳ７０に送信される。この場合、ＳＧＳＮ２０は他網に設けられた交換機である。
【００１２】
ＧＧＳＮ３０は、自網に設けられたパケット通信用の制御ノードである。ＧＧＳＮ３０は、ＳＧＳＮ２０から送信される移動機１０のパケット接続要求に応じて移動機１０とのパケット接続を許可するＩＳＰ８０にこのパケット接続要求を送信する制御ノードである。
【００１３】
ローミングＧＷ４０は、移動機１０の在圏する通信網や、自網及び他網等、複数の通信網の間においてローミング処理を行う通信制御装置である。ローミングＧＷ４０は、図４のシーケンスに示すアタッチ・位置登録処理を行う。ローミングＧＷ４０は、移動機１０の発呼先に通知するＭＳＩＳＤＮとして移動機１０から指定されたＭＳＩＳＤＮを自機のメモリに記録する。ローミングＧＷ４０は、移動機１０のアタッチ・位置登録要求に応じて複数の通信網（自網及び他網）の各々から送信される移動機１０に対する複数の加入者情報を受信する。ローミングＧＷ４０は、この受信した複数の加入者情報の各々に含まれている複数のＭＳＩＳＤＮのうちメモリに記録されているＭＳＩＳＤＮと一致するＭＳＩＳＤＮを、移動機１０の発呼先に通知する通知用番号に設定する。ローミングＧＷ４０は、この設定した通知用番号を含む加入者情報をＳＧＳＮ２０に送信する。ローミングＧＷ４０がアタッチ・位置登録処理を行うことにより、移動機１０に対する複数の加入者情報が自機のメモリに記録され、移動機１０に対する複数のＭＳＩＳＤＮのうち何れか一のＭＳＩＳＤＮが通知用番号としてＳＧＳＮ２０に記録される。
【００１４】
また、ローミングＧＷ４０は、ＩＳＰ８０が移動機１０とのパケット接続を許可する通信網（自網）において設定された移動機１０のＭＳＩＳＤＮ（ＩＭＳＩ：自網。）を「ＩＭＳＩ：自網」に関連付けて保持する。ローミングＧＷ４０は、ＧＧＳＮ３０から、自網における移動機１０についての加入者情報の取得要求（「ＩＭＳＩ：自網」を含む。）を受けると、この加入者情報の取得要求に対する応答をＧＧＳＮ３０に対して行う。この応答は、移動機１０とのパケット接続がＩＳＰ８０により許可された通信網（自網）において設定された移動機１０のＭＳＩＳＤＮである「ＭＳＩＳＤＮ：自網」を含む。
【００１５】
ＨＬＲ＿自網５０は、自網に設けられたＨＬＲであり、ＩＭＳＩやＭＳＩＳＤＮを含む移動機１０の加入者情報を管理する。ＨＬＲ＿自網５０の管理する移動機１０のＩＭＳＩ、ＭＳＩＳＤＮを、それぞれ「ＩＭＳＩ：自網」、「ＭＳＩＳＤＮ：自網」という。ＨＬＲ＿他網６０は、他網に設けられたＨＬＲであり、ＩＭＳＩやＭＳＩＳＤＮを含む移動機１０の加入者情報を管理する。ＨＬＲ＿他網６０の管理する移動機１０のＩＭＳＩ、ＭＳＩＳＤＮを、それぞれ「ＩＭＳＩ：他網」、「ＭＳＩＳＤＮ：他網」という。加入者情報は、加入者の契約プラン情報及び契約サービス情報等や、ＩＭＳＩ及びＭＳＩＳＤＮ等を含んでおり、移動機１０の契約に係る各種情報を含む。
【００１６】
また、ＤＮＳ７０は、自網に設けられたＤＮＳであり、自網に設けられたＧＧＳＮ３０のＧＧＳＮアドレスを保持する。ＤＮＳ７０は、ＳＧＳＮ２０からアドレス解決の要求（ＧＧＳＮ３０のＧＧＳＮアドレスの問い合わせ）を受信すると、ＧＧＳＮアドレスを含むアドレス解決の応答をＳＧＳＮ２０に送信する。ＩＳＰ８０は、移動機１０等に対しコンテンツデータのダウンロード等の各種サービスを提供するサービスプロバイダであり、移動機１０とのパケット接続を、移動機１０の自網におけるＭＳＩＳＤＮに応じて許可する。ＩＳＰ８０は、自網以外の他の通信網における移動機１０のＭＳＩＳＤＮに対しては、パケット接続を許可しない。すなわち、実施形態において、移動機１０とのパケット接続がＩＳＰ８０により許可されたＭＳＩＳＤＮは、自網のＭＳＩＳＤＮ（「ＭＳＩＳＤＮ：自網」）である。
【００１７】
次に、図２及び図３を参照して、ＧＧＳＮ３０の構成を説明する。図２に示すように、ＧＧＳＮ３０は、物理的には、ＣＰＵ３１、ＲＡＭ３２、ＲＯＭ３３、入力装置３４、出力装置３５及び通信装置３６を有しており、これらはバス３７に接続されている。ＣＰＵ３１は、ＲＯＭ３３等の内蔵メモリに格納された所定のコンピュータソフトウェアをＲＡＭ３２にロードして実行することにより、ＧＧＳＮ３０を統括的に制御する。入力装置３４は、データ入力用デバイスであり、入力されたデータをＣＰＵ３１に出力する。出力装置３５は、ＬＣＤ等の表示装置であり、ＣＰＵ３１から入力されたデータをＬＣＤ等に表示する。通信装置３６は、ＳＧＳＮ２０、ローミングＧＷ４０、ＩＳＰ８０等の間で通信を行うためのインターフェイスを有する。
【００１８】
ＣＰＵ３１は、図３に示す複数の機能を実現する。図３は、ＣＰＵ３１により実現されるＧＧＳＮ３０の機能を示すブロック図である。ＧＧＳＮ３０は、機能的には、受信部３１１（受信手段）、問合せ部３１２（問合せ手段）及び送信部３１３（送信手段）を有する。受信部３１１〜送信部３１３は、ＣＰＵ３１が上述のコンピュータソフトウェアを実行し、図２に示すＧＧＳＮ３０の各構成部を動作させることにより実現される機能である。特に、ＣＰＵ３１は、受信部３１１〜送信部３１３を用いて、図４に示すＧＧＳＮ３０が行う処理（パケット発信制御処理）を実行する。
【００１９】
受信部３１１は、移動機１０の通知用番号（「ＭＳＩＳＤＮ：通知用番号」）と移動機１０の「ＩＭＳＩ：自網」とを含むパケット接続要求をＳＧＳＮ２０から受信する。このパケット接続要求は、移動機１０からのパケット発信要求に応じてＳＧＳＮ２０が作成したものである。
【００２０】
問合せ部３１２は、受信部３１１により受信されたパケット接続要求に含まれる「ＭＳＩＳＤＮ：通知用番号」がＩＳＰ８０によりパケット接続の許可された通信網（自網）で用いられていない場合、このパケット接続要求に含まれる「ＩＭＳＩ：自網」を用いてローミングＧＷ４０に「ＭＳＩＳＤＮ：自網」の問い合わせ（加入者情報の取得要求）を行う。この加入者情報の取得要求は「ＩＭＳＩ：自網」を含む。すなわち、「ＭＳＩＳＤＮ：通知用番号」がＩＳＰ８０によりパケット接続の許可された通信網（自網）で用いられているＭＳＩＳＤＮの場合、問合せ部３１２による移動機１０の加入者情報の取得要求は行われず、「ＭＳＩＳＤＮ：通知用番号」がＩＳＰ８０によりパケット接続の許可されていない通信網（他網）で用いられているＭＳＩＳＤＮの場合に、問合せ部３１２による移動機１０の加入者情報の取得要求が行われる。この場合、ＧＧＳＮ３０は、ＩＳＰ８０によりパケット接続の許可された通信網に属するＭＳＩＳＤＮのリスト（「ＭＳＩＳＤＮ：自網」が、ＩＳＰ８０によりパケット接続の許可された通信網で用いられているか否かを判定できるデータ。）を有しており、問合せ部３１２は、このリストを参照して、「ＭＳＩＳＤＮ：通知用番号」が、ＩＳＰ８０によりパケット接続の許可された通信網（自網）で用いられているか否かを判定する。
【００２１】
送信部３１３は、問合せ部３１２による加入者情報の取得要求に応じてローミングＧＷ４０から通知され移動機１０の「ＩＭＳＩ：自網」に対応するＭＳＩＳＤＮ（ＩＳＰ８０からパケット接続が許可された通信網に属する「ＭＳＩＳＤＮ：自網」）を用いて、ＩＳＰ８０にパケット接続要求（「ＭＳＩＳＤＮ：自網」を含む。）を送信する。
【００２２】
次に、図４を参照し、実施形態に係るアタッチ・位置登録処理について説明する。図４は、このアタッチ・位置登録処理を説明するためのシーケンスである。まず、ローミングＧＷ４０は、移動機１０の発呼先に通知するＭＳＩＳＤＮとして、ユーザにより移動機１０から指定されたＭＳＩＳＤＮを自機のメモリに記録する（指定電話番号記録ステップ）。この指定されたＭＳＩＳＤＮは、例えば、自網や他網のＭＳＩＳＤＮであり、移動機１０からＳＧＳＮ２０を介してローミングＧＷ４０に送信される。
【００２３】
この後、移動機１０は、「ＩＭＳＩ：自網」を含むアタッチ・位置登録要求をＳＧＳＮ２０に送信し（ステップＳ１）、ＳＧＳＮ２０は、この送信を受けて、「ＩＭＳＩ：自網」及び「ｖｌｒＮｕｍｂｅｒ：ＭＳＣ」を含むアタッチ・位置登録要求をローミングＧＷ４０に送信する（ステップＳ２）。ここで、ｖｌｒＮｕｍｂｅｒとは、ＶＬＲ（Visitor  Location  Register）を識別するための番号を意味する。ステップＳ２の後、ローミングＧＷ４０は、移動機１０からＳＧＳＮ２０を介して送信された移動機１０のアタッチ・位置登録要求に応じて、複数の通信網（自網や他網）の各々から送信される複数の加入者情報（通信網毎の加入者情報）を受信する（ステップＳ３〜ステップＳ６、加入者情報受信ステップ）。
【００２４】
この加入者情報受信ステップにおいて、ローミングＧＷ４０は、まず、自網へのアタッチ・位置登録を開始する（ステップＳ３）。このステップＳ３において、ローミングＧＷ４０は、ＳＧＳＮ２０から送信されたアタッチ・位置登録要求に含まれている「ｖｌｒＮｕｍｂｅｒ：ＭＳＣ」を、「ｖｌｒＮｕｍｂｅｒ：ローミングＧＷ」に変換する。この変換の後、ローミングＧＷ４０は、自網へのアタッチ・位置登録を実行する（ステップＳ４）。このステップＳ４において、ローミングＧＷ４０は、「ＩＭＳＩ：自網」及び「ｖｌｒＮｕｍｂｅｒ：ローミングＧＷ」を含むアタッチ・位置登録要求をＨＬＲ＿自網５０に送信する。ＨＬＲ＿自網５０は、このアタッチ・位置登録要求に応じて、ＨＬＲ＿自網５０の管理する移動機１０に対する加入者情報をローミングＧＷ４０にダウンロードする。このダウンロードされる加入者情報は、「ＩＭＳＩ：自網」及び「ＭＳＩＳＤＮ：自網」を含む。この後、ローミングＧＷ４０は、加入者情報のダウンロード応答をＨＬＲ＿自網５０に送信し、ＨＬＲ＿自網５０は、この応答を受けてローミングＧＷ４０にアタッチ・位置登録応答を送信する。このアタッチ・位置登録応答は、「ｈｌｒＮｕｍｂｅｒ：ＨＬＲ＿自網」を含む（以上、ステップＳ４）。ここで、ｈｌｒＮｕｍｂｅｒとは、ＨＬＲを識別するための番号を意味する。
【００２５】
上述のように自網へのアタッチ・位置登録が行われた後、ローミングＧＷ４０は、他網へのアタッチ・位置登録を開始する（ステップＳ５）。このステップＳ５において、ローミングＧＷ４０は、ＳＧＳＮ２０から送信されたアタッチ・位置登録要求に含まれている「ＩＭＳＩ：自網」を「ＩＭＳＩ：他網」に変換し、「ｖｌｒＮｕｍｂｅｒ：ＭＳＣ」を「ｖｌｒＮｕｍｂｅｒ：ローミングＧＷ」に変換する。この変換の後、ローミングＧＷ４０は、他網へのアタッチ・位置登録を実行する（ステップＳ６）。
【００２６】
このステップＳ６において、ローミングＧＷ４０は、まず、「ＩＭＳＩ：他網」及び「ｖｌｒＮｕｍｂｅｒ：ローミングＧＷ」を含むアタッチ・位置登録要求をＨＬＲ＿他網６０に送信する。ＨＬＲ＿他網６０は、このアタッチ・位置登録要求に応じて、ＨＬＲ＿他網６０の管理する移動機１０に対する加入者情報をローミングＧＷ４０にダウンロードする。このダウンロードされる加入者情報は、「ＩＭＳＩ：他網」及び「ＭＳＩＳＤＮ：他網」を含む。この後、ローミングＧＷ４０は、加入者情報のダウンロード応答をＨＬＲ＿他網６０に送信し、ＨＬＲ＿他網６０は、この応答を受けてローミングＧＷ４０にアタッチ・位置登録応答を送信する。このアタッチ・位置登録応答は、「ｈｌｒＮｕｍｂｅｒ：ＨＬＲ＿他網」を含む（以上、ステップＳ６）。
【００２７】
ステップＳ６の後、ローミングＧＷ４０は、ステップＳ３〜ステップＳ６においてＨＬＲ＿自網５０及びＨＬＲ＿他網６０から取得した複数の加入者情報の各々に含まれているＭＳＩＳＤＮのうち、指定電話番号記録ステップにおいてローミングＧＷ４０のメモリに記録されたＭＳＩＳＤＮと一致するＭＳＩＳＤＮを、移動機１０の発呼先に通知する通知用番号に設定する（ステップＳ７、通知用番号設定ステップ）。この設定されたＭＳＩＳＤＮは、「ＭＳＩＳＤＮ：通知用番号」である。「ＭＳＩＳＤＮ：通知用番号」は、通知用番号が自網のＭＳＩＳＤＮの場合「ＭＳＩＳＤＮ：自網」であり、通知用番号が他網のＭＳＩＳＤＮの場合「ＭＳＩＳＤＮ：他網」である。このステップＳ７において、移動機１０の通知用番号を含む加入者情報は、移動機１０に対する複数の加入者情報に関連付けて自機のメモリに格納される。
【００２８】
ステップＳ７の後、ローミングＧＷ４０は、「ＩＭＳＩ：自網」及び「ＭＳＩＳＤＮ：通知用番号」を含む加入者情報を、ＳＧＳＮ２０にダウンロードする（ステップＳ８、加入者情報送信ステップ）。ステップＳ８の後、ＳＧＳＮ２０は、ローミングＧＷ４０からダウンロードした加入者情報に含まれる「ＩＭＳＩ：自網」及び「ＭＳＩＳＤＮ：通知用番号」をＳＧＳＮ２０のＶＬＲに格納し（ステップＳ９、通知用番号記録ステップ）、加入者情報のダウンロード応答をローミングＧＷ４０に送信する（ステップＳ１０）。また、ステップＳ８の後、ＳＧＳＮ２０は、「ＩＭＳＩ：自網」及び「ＭＳＩＳＤＮ：通知用番号」を移動機１０のＭＳＲＮと関連付けてＶＬＲに格納する。
【００２９】
ステップＳ１０の後、ローミングＧＷ４０は、この加入者情報のダウンロード応答をＳＧＳＮ２０から受けると、「ｈｌｒＮｕｍｂｅｒ：ローミングＧＷ」の設定を行い（ステップＳ１１）、この「ｈｌｒＮｕｍｂｅｒ：ローミングＧＷ」をアタッチ・位置登録応答に含めてＳＧＳＮ２０に送信し（ステップＳ１２）、ＳＧＳＮ２０は、このローミングＧＷ４０からの応答に応じて、このアタッチ・位置登録応答を移動機１０に送信する（ステップＳ１３）。このステップＳ１３の処理により、上述した一連のアタッチ・位置登録処理の完了が移動機１０により確認できる。上述の図４のシーケンスに示すアタッチ・位置登録処理がローミングＧＷ４０によって行われる度に、ローミングＧＷ４０のメモリに記録されており通信網毎に設定された移動機１０に対する複数の加入者情報が更新される。
【００３０】
次に、図５を参照して実施形態に係るパケット発信制御処理（通信制御処理）について説明する。図５は、このパケット発信制御処理を説明するためのシーケンスである。図５のシーケンスに示すパケット発信制御処理は、図４のシーケンスに示すアタッチ・位置登録処理の後に行われる。まず、移動機１０は、ＩＳＰ８０に対するパケット発信要求をＳＧＳＮ２０に送信する（ステップＳ２１）。このパケット発信要求は、「ＩＭＳＩ：自網」を含む。ステップＳ２１の後、ＳＧＳＮ２０は、移動機１０から「ＩＭＳＩ：自網」を含むパケット発信要求を受信すると、「ＩＭＳＩ：自網」に基づいてアドレス解決処理を行う（ステップＳ２２）。
【００３１】
ＳＧＳＮ２０は、ＤＮＳ７０に対し、自網に設けられたＧＧＳＮ３０のＧＧＳＮアドレスの問い合わせ（アドレス解決の要求）を行う（ステップＳ２３）。ＤＮＳ７０は、ステップＳ２３においてＳＧＳＮ２０から送信されたアドレス解決の要求を受信すると、このアドレス解決に対する応答をＳＧＳＮ２０に送信する（ステップＳ２４）。この応答は、ＧＧＳＮ３０のＧＧＳＮアドレスを含む。ＳＧＳＮ２０は、ステップＳ２４においてＤＮＳ７０からＧＧＳＮアドレスを含むアドレス解決に対する応答を受信すると、ＩＳＰ８０に対するパケット接続要求を、このＧＧＳＮアドレスを用いてＧＧＳＮ３０に送信する（ステップＳ２５）。
【００３２】
このパケット接続要求は、「ＩＭＳＩ：自網」及び「ＭＳＩＳＤＮ：通知用番号」を含む。なお、移動機１０の在圏する通信網が他網の場合、ＳＧＳＮ２０から送信されるアドレス解決の要求は、他網に設けられたＤＮＳを介してＤＮＳ７０に送信される。すなわち、ＳＧＳＮ２０は、ＤＮＳ７０に対し、自網に設けられたＧＧＳＮ３０のＧＧＳＮアドレスの問い合わせ（アドレス解決の要求）を、他網のＤＮＳを介して行う（ステップＳ２３）。ＤＮＳ７０は、ステップＳ２３においてＳＧＳＮ２０から送信されたアドレス解決の要求を他網のＤＮＳを介して受信すると、このアドレス解決に対する応答を他網のＤＮＳを介してＳＧＳＮ２０に送信する（ステップＳ２４）。
【００３３】
ステップＳ２５の後、ＧＧＳＮ３０の受信部３１１は、ＳＧＳＮ２０から送信されたパケット接続要求を受信すると（ステップＳ２６、受信ステップ）、問合せ部３１２は、受信部３１１により受信されたパケット接続要求に含まれる「ＭＳＩＳＤＮ：通知用番号」がＩＳＰ８０によりパケット接続の許可された通信網（自網）で用いられていない場合、ＭＳＩＳＤＮを自網の「ＭＳＩＳＤＮ：自網」に変換する処理を開始する。まず、このパケット接続要求に含まれる「ＩＭＳＩ：自網」を用いてローミングＧＷ４０に「ＭＳＩＳＤＮ：自網」の問い合わせ（加入者情報の取得要求）を行う（ステップＳ２７、問合わせステップ）。なお、「ＭＳＩＳＤＮ：通知用番号」がＩＳＰ８０によりパケット接続の許可された通信網（自網）で用いられているＭＳＩＳＤＮの場合、問合せ部３１２による移動機１０の加入者情報の取得要求は行われず、更にステップＳ２８を経ずにステップＳ２９に移行し、ＩＳＰ８０に対するパケット接続要求が「ＭＳＩＳＤＮ：自網」を用いて行われる。なお、加入者情報の取得要求は「ＩＭＳＩ：自網」を含む。
【００３４】
問合せ部３１２は、ステップＳ２７において、「ＩＭＳＩ：自網」を含む加入者情報の取得要求をローミングＧＷ４０に送信し（ステップＳ２７、問合せステップ）、ローミングＧＷ４０は、ステップＳ２７の後、加入者情報の取得要求をＧＧＳＮ３０から受信すると、加入者情報の取得要求に含まれる「ＩＭＳＩ：自網」に基づいて「ＭＳＩＳＤＮ：自網」を取得し、この「ＭＳＩＳＤＮ：自網」を含む応答（加入者情報の取得要求に対する応答）をＧＧＳＮ３０に送信する（ステップＳ２８、送信ステップ）。
【００３５】
送信部３１３は、加入者情報の取得要求に対する応答をローミングＧＷ４０から受けた後、この応答に含まれている「ＭＳＩＳＤＮ：自網」を用いて移動機１０のパケット接続要求をＩＳＰ８０に送信する（ステップＳ２９）。このパケット接続要求は、ローミングＧＷ４０から取得した「ＭＳＩＳＤＮ：自網」を含む。ステップＳ２９の後、ＩＳＰ８０は、ＧＧＳＮ３０からのパケット接続要求を受信すると、このパケット接続要求に含まれている「ＭＳＩＳＤＮ：自網」に基づいて移動機１０とのパケット接続を許可し、移動機１０との間で従来のパケット発信制御を行う（ステップＳ３０）。
【００３６】
次に、実施形態に係るＧＧＳＮ３０の作用効果を説明する。複数の通信網毎に設定された複数のＭＳＩＳＤＮを有する移動機１０の発呼先に通知する通知用番号を保持するＳＧＳＮ２０から送信されこの通知用番号及び移動機１０のＩＭＳＩ（「ＩＭＳＩ：自網」）を含む移動機１０のパケット接続要求を、上記複数の通信網のうち自網において設定された移動機１０のＭＳＩＳＤＮ（「ＭＳＩＳＤＮ：自網」）に応じて移動機１０とのパケット接続を許可するＩＳＰ８０に送信する実施形態に係るＧＧＳＮ３０は、受信部３１１、問合せ部３１２及び送信部３１３を備える。受信部３１１は、上記通知用番号を含むパケット接続要求をＳＧＳＮ２０から受信する。問合せ部３１２は、このパケット接続要求に含まれる通知用番号がパケット接続の許可された自網（「ＭＳＩＳＤＮ：自網」の属する通信網）で用いられていない場合（例えば、ＩＳＰ８０によりパケット接続の許可された通信網に属するＭＳＩＳＤＮのリストに基づいて判定される。）、このパケット接続要求に含まれる移動機１０のＩＭＳＩ（「ＩＭＳＩ：自網」）を用いて、パケット接続が許可されたＭＳＩＳＤＮと「ＩＭＳＩ：自網」とを互いに関連付けて保持するローミングＧＷ４０にこの電話番号を問い合わせる。そして、送信部３１３は、このＭＳＩＳＤＮの問い合わせに応じてローミングＧＷ４０から通知され移動機１０の「ＩＭＳＩ：自網」に対応する「ＭＳＩＳＤＮ：自網」を用いて、ＩＳＰ８０に移動機１０のパケット接続要求を送信する。
【００３７】
このように、ＧＧＳＮ３０は、移動機１０とのパケット接続がＩＳＰ８０により許可されたＭＳＩＳＤＮと移動機１０の通知番号とが異なる場合には、このＭＳＩＳＤＮを保持するローミングＧＷ４０からこのＭＳＩＳＤＮを取得する。従って、移動機１０に登録されている複数のＭＳＩＳＤＮのうち一のＭＳＩＳＤＮに対してのみパケット接続を許可するＩＳＰ８０に対してもパケット通信を行うことができる。
【００３８】
更に、ローミングＧＷ４０の作用効果について説明する。ＧＧＳＮ３０に接続されており複数の通信網毎に設定された移動機１０の複数のＭＳＩＳＤＮを保持するローミングＧＷ４０は、複数のＭＳＩＳＤＮのうちＩＳＰ８０によりパケット接続が許可される一のＭＳＩＳＤＮの問い合わせをＧＧＳＮ３０から受けると、このＭＳＩＳＤＮをこの問い合わせ元（ＧＧＳＮ３０）に通知する。従って、複数の通信網毎に複数のＭＳＩＳＤＮが設定された移動機１０は、この複数のＭＳＩＳＤＮのうち一の電話番号に対しパケット接続を許可するＩＳＰ８０との間においてパケット通信が可能となる。
【図面の簡単な説明】
【００３９】
【図１】実施形態に係る通信制御システムの構成を示す図である。
【図２】実施形態に係るＧＧＳＮの構成を示す図である。
【図３】実施形態に係るＧＧＳＮの構成を示す図である。
【図４】実施形態に係るアタッチ・位置登録処理を説明するためのシーケンスである。
【図５】実施形態に係るパケット発信制御処理を説明するためのシーケンスである。
【符号の説明】
【００４０】
１…通信制御システム、１０…移動機、２０…ＳＧＳＮ、３０…ＧＧＳＮ、３１…ＣＰＵ、３２…ＲＡＭ、３３…ＲＯＭ、３４…入力装置、３５…出力装置、３６…通信装置、３７…バス、４０…ローミングＧＷ、５０…ＨＬＲ＿自網、６０…ＨＬＲ＿他網、７０…ＤＮＳ、８０…ＩＳＰ、３１１…受信部、３１２…問合せ部、３１３…送信部。  
【図１】
2008125014.tif 000003
【図２】
2008125014.tif 000004
【図３】
2008125014.tif 000005
【図４】
2008125014.tif 000006
【図５】
2008125014.tif 000007